(57)【特許請求の範囲】
【請求項１】
被写体を撮影して画像データを生成する撮像手段と、
前記生成された画像データに対して非線形な画像処理を施す第１画像処理手段と、
前記非線形な画像処理が施された画像データに対して所定の画像処理を施す第２画像処理手段と、
前記所定の画像処理が施された画像データに対して前記非線形な画像処理と逆特性の画像処理を施す第３画像処理手段と、
前記撮像手段によるＮ回（Ｎ≧２）の撮影により生成され前記第１、第２、及び第３画像処理手段による処理がなされたＮ個の画像データの各々に対して１／Ｎのゲインを掛けて各画像データを加算することにより多重露出画像データを生成する生成手段と、
前記多重露出画像データに対して前記非線形な画像処理を施す第４画像処理手段と、
を備え、
前記第１画像処理手段は、前記生成された画像データの輝度成分に対して輝度ガンマ処理を施し、
前記第２画像処理手段は、前記輝度ガンマ処理が施された輝度成分に対してシャープネス処理を施し、
前記第３画像処理手段は、前記シャープネス処理が施された輝度成分に対して前記輝度ガンマ処理と逆特性の逆輝度ガンマ処理を施し、
前記第４画像処理手段は、前記多重露出画像データの輝度成分に対して前記輝度ガンマ処理を施す
ことを特徴とする撮像装置。
【請求項２】
前記第１画像処理手段は、前記生成された画像データの色差成分に対して色ガンマ処理及び色補正処理を施し、
前記第３画像処理手段は、前記色ガンマ処理及び色補正処理が施された色差成分に対して前記色ガンマ処理及び色補正処理と逆特性の逆色ガンマ処理及び逆色補正処理を施し、
前記第４画像処理手段は、前記多重露出画像データの色差成分に対して前記色ガンマ処理及び色補正処理を施す
ことを特徴とする請求項１に記載の撮像装置。
【請求項３】
前記生成された画像データに対して前記非線形な画像処理を施す前にホワイトバランス処理を施すと共に、当該ホワイトバランス処理が施された画像データの色差成分に対して高輝度色抑圧処理を施す第５画像処理手段を更に備えることを特徴とする請求項１又は２に記載の撮像装置。
【請求項４】
撮像装置の制御方法であって、
前記撮像装置の撮像手段が、被写体を撮影して画像データを生成する撮像工程と、
前記撮像装置の第１画像処理手段が、前記生成された画像データに対して非線形な画像処理を施す第１画像処理工程と、
前記撮像装置の第２画像処理手段が、前記非線形な画像処理が施された画像データに対して所定の画像処理を施す第２画像処理工程と、
前記撮像装置の第３画像処理手段が、前記所定の画像処理が施された画像データに対して前記非線形な画像処理と逆特性の画像処理を施す第３画像処理工程と、
前記撮像装置の生成手段が、前記撮像工程によるＮ回（Ｎ≧２）の撮影により生成され前記第１、第２、及び第３画像処理工程による処理がなされたＮ個の画像データの各々に対して１／Ｎのゲインを掛けて各画像データを加算することにより多重露出画像データを生成する生成工程と、
前記撮像装置の第４画像処理手段が、前記多重露出画像データに対して前記非線形な画像処理を施す第４画像処理工程と、
を備え、
前記第１画像処理工程では、前記生成された画像データの輝度成分に対して輝度ガンマ処理を施し、
前記第２画像処理工程では、前記輝度ガンマ処理が施された輝度成分に対してシャープネス処理を施し、
前記第３画像処理工程では、前記シャープネス処理が施された輝度成分に対して前記輝度ガンマ処理と逆特性の逆輝度ガンマ処理を施し、
前記第４画像処理工程では、前記多重露出画像データの輝度成分に対して前記輝度ガンマ処理を施す
ことを特徴とする制御方法。
【請求項５】
コンピュータに、請求項４に記載の制御方法の各工程を実行させるためのプログラム。
【発明の詳細な説明】
【技術分野】
【０００１】
本発明は、撮像装置、及びその制御方法に関する。
【背景技術】
【０００２】
デジタルカメラでの多重露出撮影の方式として、単純加算方式が知られている。単純加算方式では、従来のフィルムカメラによる多重露出撮影と同様に、複数回の撮影により撮像素子から得られた複数のデータを加算処理して得られた画像データを現像処理して、記録媒体に記録する。また、自動露出補正加算方式も知られている。自動露出補正加算方式では、撮影により撮像素子から得られたデータに対して、加算処理する撮影枚数分だけ露出を下げる除算処理をしてから加算処理を行い、こうして得られた画像データを現像処理して、記録媒体に記録する。
【０００３】
自動露出補正加算方式によれば、撮影した画像を何枚加算しても、露光状態が飽和しないで画像が破綻しない。このような長所があるため、自動露出補正加算方式は、デジタルカメラでの多重露出撮影の方式として普及しつつある。
【０００４】
自動露出補正加算方式に関する発明として、特許文献１が知られている。以下、図３を参照して、従来の自動露出補正加算方式について説明する。
【０００５】
デジタルカメラの撮像素子３００で撮像され、Ａ／Ｄ変換部３０１でデジタル化されたＲＧＢの色成分からなる画像データは、ホワイトバランス処理部３１１においてＲＧＢの各信号毎にホワイトバランス処理される。ホワイトバランス処理部３１１で用いられる複数の係数の候補が、ホワイトバランステーブル３０３として予め用意されている。デジタルカメラのユーザは、ホワイトバランステーブル選択指示入力部３０２により、使用すべき係数を選択する。これにより、被写体を照射する様々な光源の色温度に対応するホワイトバランス処理を行うことができる。
【０００６】
ユーザは、多重撮影枚数指示入力部３０４により、多重露出撮影のための撮影カット数Ｎを指定することができる。ホワイトバランス処理された画像データは、Ｎ枚分の容量を持つ画像メモリ３９０−１〜３９０−Ｎ（１つのメモリが１画面分）に、撮影毎に順次送られる。画像メモリ３９０−１〜３９０−Ｎに蓄積されたＮ枚分の画像データは、Ｎ回の撮影が終了した後、多重加算するために読みだされる。次いでゲイン補正処理部３５１において、各画像データに対して、多重露出撮影の撮影カット数Ｎ枚分だけ露出を下げる処理が行われる。例えば、Ｎ＝２の場合、各画像データの露出を１段分下げるように、ホワイトバランス処理された線形な画像データ領域で１／２のゲインを掛ける処理が行われる。同様に、Ｎ＝３の場合は、各画像データに対して１／３のゲインを掛ける処理が行われる。
【０００７】
ゲインが掛けられた画像データは、加算部３６１で加算処理される。これにより、多重されたＲＧＢの画像データが生成される。その後、多重された線形なＲＧＢの画像データは、マトリックス変換処理部３１２により、輝度成分（Ｙ成分）及び色差成分（Ｃｒ、Ｃｂ成分）へとマトリックス変換される。
【０００８】
Ｙ成分に対しては、輝度ガンマ処理部３１３により、非線形な画像処理であるガンマ処理が施される。シャープネス算出処理部３１４において、ガンマ処理が施されたＹ成分から、多重画像にシャープネス処理を行うためのエッジ成分が検出される。シャープネス加算処理部３１５において、ガンマ処理が施されたＹ成分に対して検出されたエッジ成分を加算するシャープネス処理が行われる。シャープネス加算処理部３１５では、例えば図６において符号６０１で示すように、掛けるシャープネスの重み付けを画像の輝度に応じて変える処理も行われる。低輝度部ではノイズ成分にシャープネスが掛からないように、低輝度になるほど重み付けを下げるようにゲインを掛け、また高輝度部では綺麗に白飛びするように、やはりシャープネスの強度を弱めるようにゲインを掛ける。
【０００９】
一方、Ｃｒ、Ｃｂ成分に対しては、高輝度色抑圧処理部３１６により、Ｙ成分の大きさによって色差成分を抑える色抑圧処理を行う。ここでは、図５において符号５０１で示すように、高輝度部の色差成分に負ゲインを掛けて、高輝度部において綺麗に色が飛んでいくような処理を行う。
【００１０】
次に、Ｃｒ、Ｃｂ成分には、色ガンマ処理部３１７により、非線形な画像処理であるガンマ処理が施される。ガンマ処理が施されたＣｒ、Ｃｂ成分には、色補正処理部３１８により、色補正処理が施される。ここでは、図８（ａ）において符号８０１で示すように、色差信号にゲインを掛け、さらに色飽和が起きないように高彩度領域では低彩度領域よりもゲインを弱めるような特性を与えて、出力画像の色味を好ましい状態になるように仕上げる。
【００１１】
その後、Ｙ成分及びＣｒ、Ｃｂ成分は、ファイル化部３６２により、圧縮符号化された後にファイル化され、メディア記録部３６３により、記録媒体に保存される。以上のようにして、何枚多重しても画像が飽和して破綻することのない、多重露出撮影を行うことができる。
【先行技術文献】
【特許文献】
【００１２】
【特許文献１】特開２００６−１２８７４０号公報
【発明の概要】
【発明が解決しようとする課題】
【００１３】
特許文献１に開示されている従来の多重露出撮影の方式では、各カット毎にホワイトバランス処理のパラメータを切り替えることにより、被写体を照射する光源の色温度に対応したホワイトバランス処理を行うことは可能である。しかしながら、その後のガンマ処理やシャープネス処理などの非線形な画像処理については、各カット毎にパラメータを変更することができない。従って、各カット毎に最適な画像処理を施すことが困難である。
【００１４】
また、ゲイン補正処理部３５１におけるゲイン補正処理により各カットの輝度が低下するため、その後の画像処理に関して、本来処理されるべき輝度レベルでの処理ができなくなる。具体的には、例えば、図３の高輝度色抑圧処理部３１６で行われる色抑圧処理において、図５に示すように、高輝度被写体に対して色飽和を抑圧するゲインを与えようとする場合を考える。この場合、ゲイン補正処理部３５１で画像データに対して１／Ｎの負ゲインが掛けられているため、実際には高輝度の被写体であっても、その輝度は１／Ｎになっている。従って、高輝度被写体に対して、１／Ｎの負ゲインを掛ける前の本来の輝度レベルに対応するゲインよりも弱い負ゲインしか掛けられない。その結果、高輝度被写体に対して十分な色抑圧が行われない。
【００１５】
同様に、図３のシャープネス算出処理部３１４及びシャープネス加算処理部３１５で行われるシャープネス処理について考える。図６に示すように、シャープネスの強度に対して輝度に応じた重みを付ける特性を与える場合を考える。この場合、実際には中輝度の被写体であっても、ゲイン補正処理部３５１により輝度が１／Ｎになっているため、低輝度被写体に対応する小さな重み付け係数が選択される。その結果、本来の輝度に対応した十分なシャープネス処理が掛からずに、ボケて見える画質になる。また、高輝度被写体についても同様のことが言える。即ち、図６の特性は高輝度被写体のシャープネスを抑えて自然に見えるようにすることを意図したものであるが、ゲイン補正処理により高輝度被写体の輝度が低下しているため、シャープネスが本来意図したようには抑えられない。
【００１６】
本発明はこのような状況に鑑みてなされたものであり、多重露出撮影により得られる画像データの画質を向上させる技術を提供することを目的とする。
【課題を解決するための手段】
【００１７】
上記課題を解決するために、第１の本発明は、被写体を撮影して画像データを生成する撮像手段と、前記生成された画像データに対して非線形な画像処理を施す第１画像処理手段と、前記非線形な画像処理が施された画像データに対して所定の画像処理を施す第２画像処理手段と、前記所定の画像処理が施された画像データに対して前記非線形な画像処理と逆特性の画像処理を施す第３画像処理手段と、前記撮像手段によるＮ回（Ｎ≧２）の撮影により生成され前記第１、第２、及び第３画像処理手段による処理がなされたＮ個の画像データの各々に対して１／Ｎのゲインを掛けて各画像データを加算することにより多重露出画像データを生成する生成手段と、前記多重露出画像データに対して前記非線形な画像処理を施す第４画像処理手段と、を備え、前記第１画像処理手段は、前記生成された画像データの輝度成分に対して輝度ガンマ処理を施し、前記第２画像処理手段は、前記輝度ガンマ処理が施された輝度成分に対してシャープネス処理を施し、前記第３画像処理手段は、前記シャープネス処理が施された輝度成分に対して前記輝度ガンマ処理と逆特性の逆輝度ガンマ処理を施し、前記第４画像処理手段は、前記多重露出画像データの輝度成分に対して前記輝度ガンマ処理を施すことを特徴とする撮像装置を提供する。
【００１８】
なお、その他の本発明の特徴は、添付図面及び以下の発明を実施するための形態における記載によって更に明らかになるものである。
【発明の効果】
【００１９】
以上の構成により、本発明によれば、多重露出撮影により得られる画像データの画質を向上させることが可能となる。
【図面の簡単な説明】
【００２０】
【図１】第１の実施形態に係るデジタルカメラの機能構成を示すブロック図。
【図２】第１の実施形態に係る多重露出撮影処理の流れを示すフローチャート。
【図３】従来の多重露出撮影の方式の例を示す図。
【図４】ガンマ処理及び逆ガンマ処理の概念図。
【図５】高輝度色抑圧処理の概念図。
【図６】シャープネス強度の重み付け係数の概念図。
【図７】シャープネス処理の概念図。
【図８】色補正処理及び逆色補正処理の概念図。
【発明を実施するための形態】
【００２１】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００２２】
［第１の実施形態］
本発明の撮像装置をデジタルカメラに適用した実施形態について説明する。図１は、第１の実施形態に係るデジタルカメラの機能構成を示すブロック図である。図２は、第１の実施形態に係る多重露出撮影処理の流れを示すフローチャートである。
【００２３】
Ｓ２０１で、ユーザは、多重撮影枚数指示入力部１０４により、多重するカット数を指定する。Ｓ２０２、Ｓ２０３、及びＳ２０４で、デジタルカメラは、撮像素子１００及びＡ／Ｄ変換部１０１により、被写体を撮像して画像データを生成する。本実施形態では、生成される画像データは、Ｒ（赤）、Ｇ（緑）、Ｂ（青）の３成分を含むものとする。
【００２４】
Ｓ２０５で、ユーザは、画像処理テーブル選択指示入力部１０２により、ホワイトバランステーブル１５１からホワイトバランス係数（或いは、ホワイトバランス係数に関連する撮影シーン）を選択する。例えば、ホワイトバランステーブル１５１には、屋外太陽光に適したホワイトバランス係数や室内蛍光灯に適したホワイトバランス係数などが予め格納されており、ユーザは撮影シーンを選択することによりホワイトバランス係数を選択することができる。もちろん、デジタルカメラは、光源を自動的に判別して最適なホワイトバランス係数を自動的に算出するオートホワイトバランス機能を備えていてもよい。
【００２５】
Ｓ２０６で、ホワイトバランス処理部１１１（第５画像処理手段の一例）は、Ｓ２０５で選択されたホワイトバランス係数に従い、Ｓ２０２乃至Ｓ２０４で生成された画像データに対してホワイトバランス処理を施す。ホワイトバランス処理が施された画像データは、この時点では、ＲＧＢの線形なデジタルデータで表されている。
【００２６】
Ｓ２０７で、マトリックス変換処理部１１２は、ホワイトバランス処理が施された画像データを、３次元変換処理によって輝度成分（輝度信号Ｙ）及び色差成分（２つの色差信号Ｃｒ、Ｃｂ）に変換する。
【００２７】
Ｓ２０８で、高輝度色抑圧処理部１１９（第５画像処理手段の一例）は、色差信号Ｃｒ、Ｃｂに対して、高輝度信号によって発生する色飽和（色曲がり）を抑えるための、高輝度色抑圧処理を施す。ここでは、図５に示すように、高輝度部において色差信号Ｃｒ、Ｃｂに均等の負ゲインを掛けることで、高輝度部の色が自然に白く抜けていくようにする画像処理が行われる。例えば、強い日光の当たった緑葉が、日光の強さが強くなるに従って色飽和して青緑色の不自然な色になるのを避けて、緑のまま薄い色になり、やがては最高輝度付近で白く綺麗に抜けるように色のゲインを下げる処理を行う。
【００２８】
Ｓ２０８以降の画像処理において、テレビモニタへの出力表示や紙面へのプリントをする際に最適な明るさとなるように、元の画像データを非線形な画像データに変換するガンマ変換処理が行われる。
【００２９】
具体的には、Ｓ２０９で、デジタルカメラは、画像処理テーブル選択指示入力部１０２によるユーザからの指示に従い、輝度信号用ガンマ／逆ガンマテーブル１５２及び色信号用ガンマ／逆ガンマテーブル１５３から、ガンマ特性を選択する。輝度信号用ガンマ／逆ガンマテーブル１５２及び色信号用ガンマ／逆ガンマテーブル１５３には、図４（ｂ）に符号４０３乃至４０５で示すようなガンマ特性が格納されている。以下では、輝度信号用ガンマ／逆ガンマテーブル１５２及び色信号用ガンマ／逆ガンマテーブル１５３の両方について、符号４０５で示すガンマ特性が選択されたものとする。
【００３０】
Ｓ２１０で、輝度ガンマ処理部１１４（第１画像処理手段の一例）は、輝度信号Ｙに対し、Ｓ２０９で選択されたガンマ特性に従って輝度ガンマ処理を施す。例えば、輝度信号Ｙが８ｂｉｔの線形な特性のデータであれば、図４（ａ）において符号４０１（これは図４（ｂ）の符号４０５に対応する）で示すような非線形な特性が輝度信号Ｙに与えられる。その結果、モニタやプリンタの出力に適した特性を持つ輝度信号が得られる。同様に、色ガンマ処理部１２０（第１画像処理手段の一例）は、色差信号Ｃｒ、Ｃｂに対し、Ｓ２０９で選択されたガンマ特性に従って色ガンマ処理を施す。
【００３１】
Ｓ２１１で、デジタルカメラは、画像処理テーブル選択指示入力部１０２によるユーザからの指示に従い、シャープネステーブル１５４から、シャープネス特性を選択する。シャープネステーブル１５４には、図６に符号６０１乃至６０３で示すようなシャープネス特性が格納されている。図６のシャープネス特性は、低輝度域では、ノイズ成分にシャープネスが強くかからないように、シャープネス信号に負ゲインを与えるための特性である。また、高輝度域に強いシャープネスが掛って高輝度部の細かなディテールを表現するような箇所に強いシャープネスが掛って見苦しくなることを避けるように、シャープネス信号に負ゲインを与えるための特性でもある。
【００３２】
Ｓ２１２で、シャープネス算出処理部１１５は、輝度ガンマ処理が施された輝度信号Ｙのエッジ成分を検出する。エッジ成分の検出は、例えば、各画素の隣接する周辺の画素間との変化量を計算することにより行われる。例えば、図７（ａ）において符号７０１及び７０２の差分よりエッジが検出されたとすると、シャープネス算出処理部１１５は、図７（ｂ）に示すように、エッジとその周辺の画素に与えるシャープネス強度レベル７０３及び７０４を求める。シャープネス算出処理部１１５は、シャープネス強度レベル７０３及び７０４に対応するシャープネス信号成分に対して、Ｓ２１１で選択したシャープネス特性に従い、輝度信号Ｙの大きさに応じたゲインを掛ける。
【００３３】
シャープネス加算処理部１１６（第２画像処理手段の一例）は、シャープネス算出処理部１１５により算出されたシャープネス信号成分を、輝度ガンマ処理が施された輝度信号Ｙに加える（図７（ｃ）の符号７０５乃至７０７参照）。これにより、輝度信号Ｙに対してシャープネス処理が施される。
【００３４】
Ｓ２１３で、デジタルカメラは、画像処理テーブル選択指示入力部１０２によるユーザからの指示に従い、色補正／逆色補正テーブル１５５から、色補正特性を選択する。色補正／逆色補正テーブル１５５には、図８（ｂ）に符号８０３乃至８０５で示すような色補正特性が格納されている。以下では、符号８０５で示す色補正特性が選択されたものとする。
【００３５】
Ｓ２１４で、色補正処理部１２１（第１画像処理手段の一例）は、色飽和を抑制するために、色ガンマ処理が施された色差信号Ｃｒ、Ｃｂに対し、Ｓ２１３で選択された色補正特性に従って色補正処理を施す。例えば、図８（ａ）において符号８０１（これは図８（ｂ）の符号８０５に対応する）で示すような非線形な特性が色差信号Ｃｒ、Ｃｂに与えられる。即ち、低彩度部には彩度を鮮やかにする方向にゲインを掛ける一方、高彩度部には色飽和を起こさないように次第にゲインを弱くする。
【００３６】
以上の各画像処理の各テーブルは、撮像素子１００によって出力されるＲＧＢ画像データの分光特性に依存するものである。各テーブル１５２〜１５５の特性（パラメータ）は、予めカラーパッチなどの各種標準チャートなどで撮像素子１００の特性を調査した上で決定されるものである。
【００３７】
以上の処理により、１回の撮影で得られた画像データを現像処理して、１枚の非線形な特性を持つ、モニタやプリンタでの出力に適した画像データを得ることができる。続いて、多重露出画像データの生成のために、非線形な画像データを線形な画像データに戻す処理について説明する。
【００３８】
Ｓ２１５で、逆色補正処理部１２２（第３画像処理手段の一例）は、色補正処理が施された色差信号Ｃｒ、Ｃｂに対し、Ｓ１２１における色補正処理と逆特性の画像処理（逆色補正処理）を施す。色補正／逆色補正テーブル１５５は、逆色補正処理の色補正特性も格納している。Ｓ２１３において色補正処理のための色補正特性が選択された際に、選択された色補正特性と逆特性の色補正特性が、逆色補正処理のための色補正特性として選択される。前述の通り、色補正処理のための色補正特性は図８（ａ）において符号８０１で示されるものであったので、逆色補正処理のための色補正特性は、図８（ａ）において符号８０２で示されるものである。
【００３９】
Ｓ２１６で、逆輝度ガンマ処理部１１７（第３画像処理手段の一例）は、シャープネス処理が施された輝度信号Ｙに対し、Ｓ２１０における輝度ガンマ処理と逆特性の画像処理（逆輝度ガンマ処理）を施す。輝度信号用ガンマ／逆ガンマテーブル１５２は、逆輝度ガンマ処理のガンマ特性も格納している。Ｓ２１０において輝度ガンマ処理のためのガンマ特性が選択された際に、選択されたガンマ特性と逆特性のガンマ特性が、逆輝度ガンマ処理のためのガンマ特性として選択される。前述の通り、輝度ガンマ処理のためのガンマ特性は図４（ａ）において符号４０１で示されるものであったので、逆輝度ガンマ処理のためのガンマ特性は、図４（ａ）において符号４０２で示されるものである。同様に、逆色ガンマ処理部１２３（第３画像処理手段の一例）は、逆色補正処理が施された色差信号Ｃｒ、Ｃｂに対し、Ｓ２１０における色ガンマ処理と逆特性の画像処理（逆色ガンマ処理）を施す。色信号用ガンマ／逆ガンマテーブル１５３は、逆色ガンマ処理のガンマ特性も格納している。Ｓ２１０において色ガンマ処理のためのガンマ特性が選択された際に、選択されたガンマ特性と逆特性のガンマ特性が、逆色ガンマ処理のためのガンマ特性として選択される。前述の通り、色ガンマ処理のためのガンマ特性は図４（ａ）において符号４０１で示されるものであったので、逆色ガンマ処理のためのガンマ特性は、図４（ａ）において符号４０２で示されるものである。
【００４０】
Ｓ２１５及びＳ２１６における画像処理により得られる輝度信号Ｙ及び色差信号Ｃｒ、Ｃｂには、シャープネス処理された画作りと高輝度色抑圧処理された画作りが残されている状態である。しかし、基本的な画像データとしては、ほぼ線形な画作りに戻されている。この輝度信号Ｙ及び色差信号Ｃｒ、Ｃｂは、Ｓ２１７で、１画像分のデータとして、画像メモリ１９０−１に格納される。多重露出画像データを生成するために、デジタルカメラは、Ｓ２０２乃至Ｓ２１７の処理をＮ回繰り返す制御を行う（Ｓ２１８）。こうして、Ｎ回の撮影により得られたＮ個の画像データが、画像メモリ１９０−１乃至１９０−Ｎに順次格納される。
【００４１】
その後、Ｓ２１９で、ゲイン補正処理部１３０は、画像メモリ１９０−１乃至１９０−ＮからＮ個の画像データを読み出す。そして、Ｓ２２０で、ゲイン補正処理部１３０は、Ｓ２１９で読み出した画像データの各々に対して、１／Ｎのゲインを掛ける。Ｓ２２１で、多重加算処理部１３１は、１／Ｎのゲインが掛けられたＮ個の画像データを加算する。これにより、１個の多重露出画像データが生成される。
【００４２】
Ｓ２２２で、輝度ガンマ処理部１４２（第４画像処理手段の一例）は、多重露出画像データの輝度成分（輝度信号Ｙ）に対して、Ｓ２１０における輝度ガンマ処理と同特性の輝度ガンマ処理を施す。同様に、色ガンマ処理部１４４（第４画像処理手段の一例）は、多重露出画像データの色差成分（色差信号Ｃｒ、Ｃｂ）に対して、Ｓ２１０における色ガンマ処理と同特性の色ガンマ処理を施す。更に、Ｓ２２３で、色補正処理部１４５（第４画像処理手段の一例）は、多重露出画像データの色差成分（色差信号Ｃｒ、Ｃｂ）に対して、Ｓ２１４における色補正処理と同特性の色補正処理を施す。これにより、最終的な多重露出画像データが生成される。
【００４３】
Ｓ２２４で、ファイル化部１４６は、多重露出画像データをファイル化し、Ｓ２２５で、メディア記録部１４７は、ファイル化された多重露出画像データを記録媒体に記録する。
【００４４】
以上説明したように、本実施形態によれば、デジタルカメラは、多重露出画像データの生成のためのＮ個の画像データに対して１／Ｎのゲインを掛ける前に、各画像データに対して非線形な画像処理を含む種々の画像処理を施す。その際に、例えばシャープネス処理は、非線形な画像処理である輝度ガンマ処理の後に施される。その後、デジタルカメラは、各画像データに対して、適用済みの非線形な画像処理と逆特性の画像処理を施した上で１／Ｎのゲインを掛け、各画像データを加算することにより、多重露出画像データを生成する。デジタルカメラは、こうして生成された多重露出画像データに対して、再び先の非線形な画像処理を施す。
【００４５】
このように、本実施形態によれば、シャープネス処理などの所定の画像処理は、画像データに対して１／Ｎのゲインが掛けられる前に施される。従って、シャープネス処理などの所定の画像処理は、被写体の本来の輝度（１／Ｎのゲインが掛けられる前の輝度）に従って行われる。これにより、多重露出撮影により得られる画像データの画質が向上する。
【００４６】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005814780.tif 000002
【図２】
0005814780.tif 000003
【図３】
0005814780.tif 000004
【図４】
0005814780.tif 000005
【図５】
0005814780.tif 000006
【図６】
0005814780.tif 000007
【図７】
0005814780.tif 000008
【図８】
0005814780.tif 000009